(57)【要約】【課題】ソフトスイッチングを安定して実行する。【解決手段】補助スイッチ２１をオン状態にすることで主スイッチ１７に並列に接続されたスナバコンデンサ２２の電圧を低下させてから主スイッチ１７をオン状態にするソフトスイッチング用のチョッパ回路１と、スナバコンデンサ２２の電圧値を検出し、該電圧値に基づいてスイッチング信号を生成して主スイッチ１７及び補助スイッチ２１に出力する制御手段２とを具備する電力変換装置であって、制御手段２は、主スイッチ１７がオン状態になってから一定時間経過したタイミングでスナバコンデンサ２２の電圧値をサンプリングして判定する。【選択図】図１
2014039413.tif 000002
【特許請求の範囲】
【請求項１】
補助スイッチをオン状態にすることで主スイッチに並列に接続されたスナバコンデンサの電圧を低下させてから前記主スイッチをオン状態にするソフトスイッチング用のチョッパ回路と、前記スナバコンデンサの電圧値を検出し、該電圧値に基づいてスイッチング信号を生成して前記主スイッチ及び前記補助スイッチに出力する制御手段とを具備する電力変換装置であって、
前記制御手段は、前記主スイッチがオン状態になってから一定時間経過したタイミングで前記スナバコンデンサの電圧値をサンプリングして判定することを特徴とする電力変換装置。
【請求項２】
前記制御手段は、前記主スイッチ用の前記スイッチング信号を前記一定時間遅延させる遅延回路を備え、当該遅延回路の出力信号に基づいて前記スナバコンデンサの電圧値をサンプリングすることを特徴とする請求項１に記載の電力変換装置。
【請求項３】
前記制御手段は、
前記スイッチング信号を生成すると共に、前記主スイッチのオンタイミングを起点として前記一定時間を計時すると報知信号を出力するスイッチング信号発生部と、
前記報知信号に基づいて前記スナバコンデンサの電圧値をサンプリングする演算部と、
を具備することを特徴とする請求項１に記載の電力変換装置。
【請求項４】
前記制御手段は、
前記スイッチング信号を生成するスイッチング信号発生部と、
前記主スイッチのオンタイミングを起点として前記一定時間を計時したタイミングで前記スナバコンデンサの電圧値をサンプリングする演算手段と、
を具備することを特徴とする請求項１に記載の電力変換装置。
【発明の詳細な説明】
【技術分野】
【０００１】
本発明は、電力変換装置に関する。
【背景技術】
【０００２】
従来から、スイッチング素子のソフトスイッチングを実現する電力変換装置の一つとして、共振現象を利用したＳＡＺＺ(Snubber Assisted Zero Voltage and Zero Current Transition)方式のチョッパ回路が知られている（例えば、下記特許文献１及び２参照）。このようなＳＡＺＺ方式のチョッパ回路では、ソフトスイッチングを行うためには、主スイッチをオン状態にするタイミングよりも所定の先行時間だけ前のタイミングで補助スイッチをオン状態とすることにより、主スイッチに並列に接続されたスナバコンデンサに蓄えられた電荷を放電させる。すなわち、この放電によってスナバコンデンサの端子間電圧つまり主スイッチの端子間電圧が徐々に低下してゼロ電圧に到達したタイミングで主スイッチがオン状態となることによって、ソフトスイッチングが実現される。
【先行技術文献】
【特許文献】
【０００３】
【特許文献１】特開２００７−２７４７７８号公報
【特許文献２】特開２０１０−２３３３１２号公報
【発明の概要】
【発明が解決しようとする課題】
【０００４】
ところで、補助スイッチがオン状態になってからスナバコンデンサの端子間電圧がゼロ電圧に到達するまでの時間はチョッパ回路の負荷変動等の影響によって変動するので、ソフトスイッチングを確実に実現するためには、上記先行時間をその都度調節する必要がある。そして、そのための方法としてスナバコンデンサの電圧を検出し、この検出値に基づいて先行時間を調節することが行われる場合がある。
【０００５】
しかしながら、主スイッチがオン状態になるタイミングでスナバコンデンサの電圧を検出すると、主スイッチがオフ状態からオン状態に変化することに起因する外乱によってスナバコンデンサの電圧にノイズが重畳する。この結果として、スナバコンデンサの電圧を正確に検出することができず、よって安定的（確実）なソフトスイッチングを実現できないという問題点がある。
【０００６】
本発明は、上述した事情に鑑みてなされたものであり、ソフトスイッチングを安定して実行することを目的とする。
【課題を解決するための手段】
【０００７】
上記目的を達成するために、本発明では、第１の解決手段として、補助スイッチをオン状態にすることで主スイッチに並列に接続されたスナバコンデンサの電圧を低下させてから主スイッチをオン状態にするソフトスイッチング用のチョッパ回路と、スナバコンデンサの電圧値を検出し、該電圧値に基づいてスイッチング信号を生成して主スイッチ及び補助スイッチに出力する制御手段とを具備する電力変換装置であって、制御手段は、主スイッチがオン状態になってから一定時間経過したタイミングでスナバコンデンサの電圧値をサンプリングして判定する、という手段を採用する。
【０００８】
本発明では、電力変換装置に係る第２の解決手段として、上記第１の解決手段において、制御手段は、主スイッチ用のスイッチング信号を一定時間遅延させる遅延回路を備え、当該遅延回路の出力信号に基づいてスナバコンデンサの電圧値をサンプリングする、という手段を採用する。
【０００９】
本発明では、チョッパ回路に係る第３の解決手段として、上記第１の解決手段において、制御手段は、スイッチング信号を生成すると共に、主スイッチのオンタイミングを起点として一定時間を計時すると報知信号を出力するスイッチング信号発生部と、報知信号に基づいてスナバコンデンサの電圧値をサンプリングする演算手段と、を具備する、という手段を採用する。
【００１０】
本発明では、電力変換装置に係る第４の解決手段として、上記第１の解決手段において、制御手段は、スイッチング信号を生成するスイッチング信号発生部と、主スイッチのオンタイミングを起点として一定時間を計時したタイミングでスナバコンデンサの電圧値をサンプリングする演算部と、を具備する、という手段を採用する。
【発明の効果】
【００１１】
本発明によれば、ソフトスイッチング用のチョッパ回路における主スイッチがオン状態になってから一定時間経過したタイミングでスナバコンデンサの電圧値をサンプリングして判定するので、主スイッチがオフ状態からオン状態に変化することに起因する外乱を排除してスナバコンデンサの電圧値を正確に評価することができる。したがって、本発明によれば、スナバコンデンサの電圧値に基づくソフトスイッチングを安定的に実現することができる。
【図面の簡単な説明】
【００１２】
【図１】本発明の第１実施形態に係る電力変換装置の回路図である。
【図２】本発明の第１実施形態におけるスイッチ制御部２の機能ブロック図（ａ）と、遅延回路３３を示す回路図（ｂ）、（ｃ）である。
【図３】本発明の第１実施形態におけるスイッチング信号（ａ）と、スナバコンデンサ２２の電圧の時間的な変動を示す図（ｂ）である。
【図４】本発明の第２実施形態におけるスイッチ制御部２の機能ブロック図である。
【図５】本発明の第２実施形態の動作を示すフローチャートである。
【図６】本発明の第３実施形態におけるスイッチ制御部２の機能ブロック図である。
【図７】本発明の第３実施形態の動作を示すフローチャートである。
【発明を実施するための形態】
【００１３】
以下、図面を参照して、本発明の実施形態について説明する。
〔第1実施形態〕
初めに第１実施形態について説明する。本第１実施形態に係る電力変換装置は、ＳＡＺＺ(Snubber Assisted Zero Voltage and Zero Current Transition)方式を採用した昇圧チョッパ回路であり、ＳＡＺＺ昇圧チョッパ回路１及びスイッチ制御部２から構成されている。なお、スイッチ制御部２は、本実施形態における制御手段を構成するものである。
【００１４】
上記ＳＡＺＺ昇圧チョッパ回路１は、図１（ａ）に示すように、一次側端子１１，１２、二次側端子１３，１４、一次側平滑コンデンサ１５、主リアクトル１６、主スイッチ１７、ダイオード１８、二次側平滑コンデンサ１９、補助リアクトル２０、補助スイッチ２１、スナバコンデンサ２２及びスナバ用ダイオード２３から構成されている。
【００１５】
一次側端子１１，１２は、直流電源Ｅ（例えば直流電圧Ｖ１を出力するバッテリ）に接続されている。一方、二次側端子１３，１４は、負荷Ｌ（例えばモータ）に接続されている。つまり、ＳＡＺＺ昇圧チョッパ回路１は、一次側端子１１，１２に接続される直流電源Ｅから供給される電力を昇圧して二次側端子１３，１４に接続される負荷Ｌに出力する。
【００１６】
一次側平滑コンデンサ１５は、一次側端子１１，１２間に接続され、直流電源Ｅに接続される一次側端子１１，１２から供給される直流電力に重畳されているノイズの除去を行う。主リアクトル１６は、一次側端子１１に補助リアクトル２０を介して一端が接続されると共に他端が主スイッチ１７とダイオード１８との接続点Ｐ１に接続されており、主スイッチ１７のスイッチング動作に応じて電力の蓄積や放出を行う。
【００１７】
主スイッチ１７は、直列接続されたダイオード１８と共に二次側端子１３，１４の間に接続されており、直流電源Ｅから一次側端子１１，１２間に供給される直流電力を昇圧して二次側端子１３，１４から出力する際に駆動されるスイッチであり、ダイオード１７ａが逆並列接続されて一体化されている。この主スイッチ１７は、例えば逆並列ダイオード付きＩＧＢＴ（Insulated Gate Bipolar Transistor：絶縁ゲートバイポーラトランジスタ）によって実現される。なお、主スイッチ１７としては、ＩＧＢＴ以外にも、通常のバイポーラトランジスタを用いることも、ＦＥＴトランジスタ（FieldEffect Transistor：電界効果トランジスタ）を用いることも可能である。このような主スイッチ１７は、スイッチ制御部２によって制御され、例えば１０ｋＨｚ程度のスイッチング周波数で駆動される。
ダイオード１８は、主スイッチ１７に直列接続されており、直列接続された主スイッチ１７と共に二次側端子１３，１４の間に接続されている。
【００１８】
二次側平滑コンデンサ１９は、二次側端子１３，１４間に接続されており、直流電源Ｅによって一次側端子１１，１２側から供給されて二次側端子１３，１４から出力される電力を平滑化して直流電力にする。
補助リアクトル２０は、一次側端子１１と主リアクトル１６の一端との間に接続され、主スイッチ１７や補助スイッチ２１のスイッチング動作に応じて電力の蓄積や放出を行う。
【００１９】
補助スイッチ２１は、主スイッチ１７に対応させて、つまり主スイッチ１７のソフトスイッチングを実現するために設けられたスイッチであり、一端が主リアクトル１６と補助リアクトル２０との接続点Ｐ２に接続され、他端がスナバコンデンサ２２とスナバ用ダイオード２３との接続点Ｐ３に接続されている。また、補助スイッチ２１には、ダイオード２１ａが逆並列接続されて一体化されている。本電力変換装置では、上述のように設けられた補助スイッチ２１をスイッチングすることによってスナバコンデンサ２２の電圧を低下させて主スイッチ１７のソフトスイッチングを実現する。
【００２０】
スナバコンデンサ２２は、スナバ用ダイオード２３に直列接続され、直列接続されたスナバ用ダイオード２３と共に主スイッチ１７に対して並列接続される。スナバ用ダイオード２３は、スナバコンデンサ２２に直列接続され、直列接続されたスナバコンデンサ２２と共に主スイッチ１７に対して並列接続される。このようなスナバコンデンサ２２とスナバ用ダイオード２３との直列接続体は、主スイッチ１７のスイッチング動作によって生じる過度的な高電圧を吸収するために設けられる保護回路である。
【００２１】
スイッチ制御部２は、ＰＷＭ（pulse width modulation）制御を用いて主スイッチ１７及び補助スイッチ２１をスイッチング制御するものであり、図１（ｂ）に示すように、演算部３１、スイッチング信号発生部３２及び遅延回路３３から構成される。
【００２２】
演算部３１は、スナバコンデンサ２２から電圧が入力され、スナバコンデンサ２２の電圧値をサンプリングする（Ａ/Ｄ変換）するＡ/Ｄコンバータや演算プログラムに基づいて演算処理を行うマイクロコントローラ等から構成されている。この演算部３１は、スナバコンデンサ２２の電圧値をサンプリングし、デジタル化された信号に基づいて補助スイッチ２１のスイッチングのタイミングを演算する。また、演算部３１は、二次側端子１３，１４からの出力電圧を検出する電圧センサー（図示略）の検出結果に基づいて主スイッチ１７のスイッチングのタイミングを演算する。このような演算部３１は、上述した演算結果に基づいて主スイッチ１７及び補助スイッチ２１のスイッチングのデューティ比を示すＰＷＭデータをスイッチング信号発生部３２に出力する。
【００２３】
スイッチング信号発生部３２は、プログラマブルデバイスであり、演算部３１から入力されるＰＷＭデータに基づいて主スイッチ１７及び補助スイッチをスイッチング制御するための各スイッチング信号を生成して主スイッチ１７及び補助スイッチ各々に出力すると共に、主スイッチ１７用のスイッチング信号を遅延回路３３にも出力する。
【００２４】
遅延回路３３は、スイッチング信号発生部３２から入力された主スイッチ１７用のスイッチング信号を一定時間遅延させて出力信号を演算部３１に出力する。例えば、遅延回路３３としては、図２（ｂ）に示すように、スイッチング信号が入力されるＲＣ積分回路３３ａと、スイッチング信号とＲＣ積分回路３３ａからの出力信号とが入力されるＡＮＤゲート回路３３ｂとから構成されるものが考えられる。また、図２（ｃ）に示すように、スイッチング信号が入力されるＲＣ積分回路３３ｃと、ＲＣ積分回路３３ｃからの出力信号が非反転入力端子に入力されると共に直流電圧が反転入力端子に入力されるオペアンプ３３ｄとから構成されるものが考えられる。
【００２５】
次に、このように構成された本電力変換装置の動作について説明する。
最初に電力変換装置のソフトスイッチングの動作について、既に公知であるが、簡単に説明する。本電力変換装置では、昇圧動作時、補助スイッチ２１をオン状態にすることで主スイッチ１７に並列に接続されたスナバコンデンサ２２の端子間電圧を十分に低下させて、主スイッチ１７をオン状態にする。この結果、本電力変換装置では、主スイッチ１７の端子間電圧がセロに到達したタイミングで主スイッチ１７のスイッチング動作（ターンオン）がなされるソフトスイッチングが実現されることとなる。
【００２６】
ここで、スイッチ制御部２は、主スイッチ１７及び補助スイッチ２１を制御するに際して、主スイッチ１７のオン時にスナバコンデンサ２２の電圧値を検出し、該電圧値に基づいて補助スイッチ２１を主スイッチ１７よりも先行させてオン状態にする先行動作時間（図３（ａ）参照）を調整する。スイッチ制御部２は、主スイッチ１７のオン時のスナバコンデンサ２２の電圧値に基づいて補助スイッチ２１の先行動作時間を調整することで、主スイッチ１７のオン時にスナバコンデンサ２２の電圧値をソフトスイッチング可能な値になるように調整する。
【００２７】
主スイッチ１７のオン時のスナバコンデンサ２２の電圧値は、図３（ａ）に示すように、主スイッチ１７がオン状態になってから数ｕｓの間急激に変動して、それから安定状態となる。電力変換装置では、安定的なソフトスイッチングを実現するためには、安定状態となったスナバコンデンサ２２の電圧を検出する必要がある。
【００２８】
そのため、スイッチ制御部２において、演算部３１は、主スイッチ１７がオン状態になってから一定時間経過したタイミングでスナバコンデンサ２２の電圧値を検出する。具体的には、演算部３１は、遅延回路３３からの出力信号を用いて主スイッチ１７用のスイッチング信号に基づいて主スイッチ１７がオン状態になってから一定時間経過したタイミングでスナバコンデンサ２２の電圧値のサンプリングを開始する。つまり、演算部３１は、出力信号に基づいて主スイッチ１７がオン状態になってから一定時間経過したタイミングを検知し、そのタイミングでスナバコンデンサ２２の電圧値のサンプリングを開始する。
【００２９】
このような本実施形態によれば、遅延回路３３からの出力信号に基づいて主スイッチ１７がオン状態になってから一定時間経過したタイミングでスナバコンデンサ２２の電圧値をサンプリングして判定するので、主スイッチ１７がオフ状態からオン状態に変化することに起因する外乱を排除してスナバコンデンサ２２の電圧値を正確に評価することができる。したがって、本実施形態によれば、スナバコンデンサ２２の電圧値に基づくソフトスイッチングを安定的に実現することができる。
【００３０】
〔第２実施形態〕
次に、第２実施形態について説明する。
本第２実施形態に係る電力変換装置は、第１実施形態とスイッチ制御部２の構成が異なるものであり、スイッチ制御部２以外の構成要素については第１実施形態と同様である。したがって、本第２実施形態に係る電力変換装置において第１実施形態と同一の機能構成要素については、説明を省略する。
【００３１】
スイッチ制御部２は、第１実施形態と同様に、ＰＷＭ制御を用いて主スイッチ１７及び補助スイッチ２１をスイッチング制御するものであり、図４に示すように、演算部３４及びスイッチング信号発生部３５から構成される。
【００３２】
演算部３４は、スナバコンデンサ２２から電圧が入力され、スナバコンデンサ２２の電圧値をサンプリングする（Ａ/Ｄ変換）するＡ/Ｄコンバータや演算プログラムに基づいて演算処理を行うマイクロコントローラ等から構成されている。この演算部３４は、第１実施形態と同様、主スイッチ１７及び補助スイッチ２１のスイッチングのタイミングを演算し、演算結果に基づいて主スイッチ１７及び補助スイッチ２１のスイッチングのデューティ比を示すＰＷＭデータをスイッチング信号発生部３５に出力する。
【００３３】
スイッチング信号発生部３５は、プログラマブルデバイスであり、演算部３４から入力されるＰＷＭデータに基づいて主スイッチ１７及び補助スイッチをスイッチング制御するための各スイッチング信号を生成して主スイッチ１７及び補助スイッチ各々に出力すると共に、主スイッチ１７がオン状態になるタイミングを監視し、主スイッチ１７のオンタイミングを起点として一定時間を計時すると報知信号を演算部３４に出力する。また、スイッチング信号発生部３５は、主スイッチ１７のオンタイミングを起点として一定時間を計時したタイミングでスナバコンデンサ２２の電圧値をサンプリングする。
【００３４】
次に、このように構成された本電力変換装置のスナバコンデンサ２２の電圧値の検出動作について図５を参照して説明する。スイッチ制御部２において、スイッチング信号発生部３５は、主スイッチ１７がオン状態になるタイミングを監視し、主スイッチ１７がオン状態になったか否か判定する（ステップＳ１）。
【００３５】
例えば、スイッチング信号発生部３５は、主スイッチ１７がオン状態になるタイミングを監視する方法として、内部のレジスタに記憶されている主スイッチ１７の状態を示す値を確認する方法や、予め演算部３４から入力されたＰＷＭデータによって示されるデューティ比からどのタイミングで主スイッチ１７がオン状態となるかを計算する方法がある。
【００３６】
スイッチング信号発生部３５は、主スイッチ１７がオン状態になっていない場合には、ステップＳ１の処理において主スイッチ１７の監視を継続する。一方、スイッチング信号発生部３５は、主スイッチ１７がオン状態になった場合には、主スイッチ１７がオン状態になってからの経過時間を計時し、主スイッチ１７がオン状態になってから一定時間経過したか否か判定する（ステップＳ２）。
【００３７】
スイッチング信号発生部３５は、主スイッチ１７がオン状態になってから一定時間経過していない場合には、ステップＳ２の処理において経過時間の計時を継続する。一方、スイッチング信号発生部３５は、主スイッチ１７がオン状態になってから一定時間経過した場合には、報知信号を演算部３４に出力する（ステップＳ３）。演算部３４は、スイッチング信号発生部３５から入力された通知信号に基づいてスナバコンデンサ２２の電圧値のサンプリングを開始する（ステップＳ４）。
【００３８】
このような本実施形態によれば、スイッチング信号発生部３５が、主スイッチ１７のオンを監視し、主スイッチ１７がオン状態になってから一定時間経過したことを示す報知信号を演算部３４に出力し、演算部３４は、通知信号に基づいて主スイッチ１７がオン状態になってから一定時間経過したタイミングでスナバコンデンサ２２の電圧値をサンプリングして判定するので、主スイッチ１７がオフ状態からオン状態に変化することに起因する外乱を排除してスナバコンデンサ２２の電圧値を正確に評価することができる。したがって、本実施形態によれば、スナバコンデンサ２２の電圧値に基づくソフトスイッチングを安定的に実現することができる。
【００３９】
〔第３実施形態〕
次に、第３実施形態について説明する。
本第３実施形態に係る電力変換装置は、第１実施形態とスイッチ制御部２の構成が異なるものであり、スイッチ制御部２以外の構成要素については第１実施形態と同様である。したがって、本第３実施形態に係る電力変換装置において第１実施形態と同一の機能構成要素については、説明を省略する。
【００４０】
本第３実施形態において、スイッチ制御部２は、第１実施形態と同様に、ＰＷＭ制御を用いて主スイッチ１７及び補助スイッチ２１をスイッチング制御するものであり、図６に示すように、演算部３６（演算手段）及びスイッチング信号発生部３７から構成される。
【００４１】
演算部３６は、スナバコンデンサ２２から電圧が入力され、スナバコンデンサ２２の電圧値をサンプリングする（Ａ/Ｄ変換）するＡ/Ｄコンバータや演算プログラムに基づいて演算処理を行うマイクロコントローラ等から構成されている。この演算部３６は、第１実施形態と同様、主スイッチ１７及び補助スイッチ２１のスイッチングのタイミングを演算し、演算結果に基づいて主スイッチ１７及び補助スイッチ２１のスイッチングのデューティ比を示すＰＷＭデータをスイッチング信号発生部３７に出力する。
【００４２】
スイッチング信号発生部３７は、プログラマブルデバイスであり、演算部３６から入力されるＰＷＭデータに基づいて主スイッチ１７及び補助スイッチをスイッチング制御するための各スイッチング信号を生成して主スイッチ１７及び補助スイッチ各々に出力すると共に、主スイッチ用のスイッチング信号を演算部３６に出力する。
【００４３】
次に、このように構成された本電力変換装置のスナバコンデンサ２２の電圧値の検出動作について図７を参照して説明する。スイッチ制御部２において、スイッチング信号発生部３７は、演算部３６から入力されるＰＷＭデータに基づいてスイッチング信号を生成して主スイッチ１７及び補助スイッチ各々に出力すると共に、主スイッチ用のスイッチング信号を演算部３６に出力する。演算部３６は、主スイッチ用のスイッチング信号に基づいて主スイッチ１７がオン状態になったか否か判定する（ステップＳ１１）。
【００４４】
例えば、演算部３６が、主スイッチ１７のオン状態を検出方法として、スイッチング信号発生部３７からスイッチング信号を入力してもらう方法以外にも、スイッチング信号発生部３７から出力されたスイッチング信号をコンパレータで比較してコンパレータの出力を演算部３６に入力することによって、主スイッチ１７のオン状態を確認する方法や、主スイッチ１７の両端の電圧を比較して主スイッチ１７がオンとなった場合に信号を演算部３６に出力する電圧比較回路を設置することによって、主スイッチ１７のオン状態を確認する方法がある。なお、上述した内容において、演算部３６とコンパレータとの組み合わせによって本実施形態における演算手段を構成する一方、演算部３６と電圧比較回路との組み合わせによっても本実施形態における演算手段を構成することができる。
【００４５】
演算部３６は、主スイッチ１７がオン状態になっていない場合には、ステップＳ１１の判定処理を引き続き実行する。一方、演算部３６は、主スイッチ１７がオン状態になった場合には、主スイッチ１７がオン状態になってからの経過時間を計時し、主スイッチ１７がオン状態になってから一定時間経過したか否か判定する（ステップＳ１２）。
【００４６】
演算部３６は、主スイッチ１７がオン状態になってから一定時間経過していない場合には、ステップＳ１２の処理において経過時間の計時を継続する。一方、スイッチング信号発生部３７は、主スイッチ１７がオン状態になってから一定時間経過した場合には、スナバコンデンサ２２の電圧値をサンプリング（つまり、スナバコンデンサ２２の電圧の検出）を開始する（ステップＳ１３）。
【００４７】
このような本実施形態によれば、演算部３６が、主スイッチ１７のオン状態を確認し、主スイッチ１７がオン状態になってから一定時間経過したタイミングでスナバコンデンサ２２の電圧値をサンプリングして判定するので、主スイッチ１７がオフ状態からオン状態に変化することに起因する外乱を排除してスナバコンデンサ２２の電圧値を正確に評価することができる。したがって、本実施形態によれば、スナバコンデンサ２２の電圧値に基づくソフトスイッチングを安定的に実現することができる。
【００４８】
以上、本発明の実施形態について説明したが、本発明は上記実施形態に限定されることなく、例えば以下のような変形が考えられる。
（１）上記実施形態は、ＳＡＺＺ昇圧チョッパ回路１を備える電力変換装置に本発明を適用したものであるが、本発明はこれに限定されない。例えば、ＳＡＺＺ降圧チョッパ回路またはＳＡＺＺ双方向チョッパ回路を有する電力変換装置に本発明を適用するようにしてもよい。
【００４９】
（２）上記実施形態において、演算部３１、３４、３６は、スナバコンデンサ２２から直接電圧値を取得しているが、本発明はこれに限定されない。例えば、スイッチ制御部２とは別にスナバコンデンサ２２の電圧値を検出する電圧センサーが設けられている場合には、演算部３１、３４、３６は、この電圧センサーからスナバコンデンサ２２の電圧値を取得するようにしてもよい。このような場合、スイッチ制御部２及び上記電圧センサーが、本実施形態の制御手段を構成するものとなる。
【符号の説明】
【００５０】
１…ＳＡＺＺ昇圧チョッパ回路、２…スイッチ制御部，１１，１２…一次側端子、１３，１４…二次側端子、１５…一次側平滑コンデンサ、１６…主リアクトル、１７…主スイッチ、１８…ダイオード、１９…二次側平滑コンデンサ、２０…補助リアクトル、２１…補助スイッチ、２２…スナバコンデンサ、２３…スナバ用ダイオード、１７ａ…ダイオード、２１ａ…ダイオード、３１、３４、３６…演算部、３２、３５、３７…スイッチング信号発生部、３３…遅延回路、３３ａ…ＲＣ積分回路、３３ｂ…ＡＮＤゲート回路、３３ｃ…ＲＣ積分回路、３３ｄ…オペアンプ
【図１】
2014039413.tif 000003
【図２】
2014039413.tif 000004
【図３】
2014039413.tif 000005
【図４】
2014039413.tif 000006
【図５】
2014039413.tif 000007
【図６】
2014039413.tif 000008
【図７】
2014039413.tif 000009